【手続補正書】
【提出日】平成30年2月7日(2018.2.7)
【手続補正１】
【補正対象書類名】特許請求の範囲
【補正対象項目名】全文
【補正方法】変更
【補正の内容】
【特許請求の範囲】
【請求項１】
無線通信システムにおける端末（ＵＥ）により実行されるサイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）の送信方法であって、前記方法は、
ＳＬＳＳ及びＰＳＢＣＨのための送信電力を決定することと、
前記決定された送信電力で前記ＳＬＳＳ及びＰＳＢＣＨを送信することと
を含み、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）との両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定される、方法。
【請求項２】
前記ＳＬＳＳ及びＰＳＢＣＨのための送信電力は、
前記Ｄ２Ｄ発見のためにトリガされた場合と前記Ｄ２Ｄ通信のためにトリガされた場合に互いに異なる値に決定される、請求項１に記載の方法。
【請求項３】
前記Ｄ２Ｄ通信のための電力情報（Ｐ−Ｍａｘ）と前記Ｄ２Ｄ発見のための電力情報（ｄｉｓｃＭａｘＴｘＰｏｗｅｒ）は、互いに異なるシステム情報ブロック（ｓｙｓｔｅｍ  ｉｎｆｏｒｍａｔｉｏｎ  ｂｌｏｃｋ：ＳＩＢ）を介して受信される、請求項１に記載の方法。
【請求項４】
前記ＳＬＳＳ及びＰＳＢＣＨのための送信電力は、
サービングセルｃでの最大出力電力（ＰＣＭＡＸ、ｃ）に基づいて決定されることを特徴とする請求項１に記載の方法。
【請求項５】
前記サービングセルｃでの最大出力電力（ＰＣＭＡＸ、ｃ）は、ネットワークにより設定される最大電力値（ＰＥＭＡＸ、Ｃ）に基づいて決定され、
前記ネットワークにより設定される電力値（ＰＥＭＡＸ、Ｃ）は、前記Ｄ２Ｄ通信（ｃｏｍｍｕｎｉｃａｔｉｏｎ）のための電力情報（Ｐ−Ｍａｘ）により決定される、請求項４に記載の方法。
【請求項６】
端末であって、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定することと、
前記決定された送信電力で前記ＳＬＳＳ及びＰＳＢＣＨを送信することと
を行うように構成され、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）との両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定される、端末。
【手続補正２】
【補正対象書類名】明細書
【補正対象項目名】００２４
【補正方法】変更
【補正の内容】
【００２４】
他の側面で提供される端末は、無線信号を送信及び受信するＲＦ（Ｒａｄｉｏ  Ｆｒｅｑｕｅｎｃｙ）部及び前記ＲＦ部と結合して動作するプロセッサを含み、前記プロセッサは、サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定し、前記決定された送信電力で前記ＳＬＳＳ及びＰＳＢＣＨを送信し、前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、前記ＳＬＳＳ及びＰＳＢＣＨのための送信電力は、前記Ｄ２Ｄ通信のための電力情報（Ｐ−Ｍａｘ）に基づいて決定されることを特徴とする。
本発明は、例えば、以下を提供する。
（項目１）
無線通信システムにおける端末により実行されるＤ２Ｄ（ｄｅｖｉｃｅ−ｔｏ−ｄｅｖｉｃｅ）発見（ｄｉｓｃｏｖｅｒｙ）信号送信方法において、
Ｄ２Ｄ発見信号送信のための電力情報（ｄｉｓｃＭａｘＴｘＰｏｗｅｒ）を受信し、及び
前記電力情報（ｄｉｓｃＭａｘＴｘＰｏｗｅｒ）に基づいてＤ２Ｄ発見信号送信のための送信電力（ＰＰＳＤＣＨ）を決定することを特徴とする方法。
（項目２）
前記電力情報（ｄｉｓｃＭａｘＴｘＰｏｗｅｒ）に基づいて決定された送信電力（ＰＰＳＤＣＨ）で前記Ｄ２Ｄ発見信号を送信することを特徴とする項目１に記載の方法。
（項目３）
前記電力情報（ｄｉｓｃＭａｘＴｘＰｏｗｅｒ）は、
Ｄ２Ｄ通信（ｃｏｍｍｕｎｉｃａｔｉｏｎ）のための電力情報（Ｐ−Ｍａｘ）を受信するシステム情報ブロック（ｓｙｓｔｅｍ  ｉｎｆｏｒｍａｔｉｏｎ  ｂｌｏｃｋ）でない他のシステム情報ブロックを介して受信されることを特徴とする項目１に記載の方法。
（項目４）
前記端末は、レンジクラス（ｒａｎｇｅ  ｃｌａｓｓ）が設定され、前記レンジクラスは、短距離（ｓｈｏｒｔ）、中間距離（ｍｅｄｉｕｍ）、長い距離（ｌｏｎｇ）のうちいずれか一つを指示することを特徴とする項目１に記載の方法。
（項目５）
前記電力情報（ｄｉｓｃＭａｘＴｘＰｏｗｅｒ）は、前記端末に設定されたレンジクラスによってＤ２Ｄ発見信号を送信する時に超過してはならない最大送信電力（ｍａｘｉｍｕｍ  ｔｒａｎｓｍｉｔ  ｐｏｗｅｒ）を指示することを特徴とする項目４に記載の方法。
（項目６）
前記Ｄ２Ｄ発見信号送信のための送信電力（ＰＰＳＤＣＨ）は、
サービングセルｃでの最大出力電力（ＰＣＭＡＸ、ｃ）に基づいて決定されることを特徴とする項目１に記載の方法。
（項目７）
前記サービングセルｃでの最大出力電力（ＰＣＭＡＸ、ｃ）は、ネットワークにより設定される電力値（ＰＥＭＡＸ、Ｃ）に基づいて決定され、
前記ネットワークにより設定される電力値（ＰＥＭＡＸ、Ｃ）は、前記Ｄ２Ｄ発見信号送信のための電力情報（ｄｉｓｃＭａｘＴｘＰｏｗｅｒ）により決定されることを特徴とする項目６に記載の方法。
（項目８）
無線通信システムにおける端末により実行されるサイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）送信方法において、
ＳＬＳＳ及びＰＳＢＣＨのための送信電力を決定し、及び
前記決定された送信電力で前記ＳＬＳＳ及びＰＳＢＣＨを送信し、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定されることを特徴とする方法。
（項目９）
前記ＳＬＳＳ及びＰＳＢＣＨのための送信電力は、
前記Ｄ２Ｄ発見のためにトリガされた場合と前記Ｄ２Ｄ通信のためにトリガされた場合に互いに異なる値に決定されることを特徴とする項目８に記載の方法。
（項目１０）
前記Ｄ２Ｄ通信のための電力情報（Ｐ−Ｍａｘ）と前記Ｄ２Ｄ発見のための電力情報（ｄｉｓｃＭａｘＴｘＰｏｗｅｒ）は、互いに異なるシステム情報ブロック（ｓｙｓｔｅｍ  ｉｎｆｏｒｍａｔｉｏｎ  ｂｌｏｃｋ：ＳＩＢ）を介して受信されることを特徴とする項目８に記載の方法。
（項目１１）
前記ＳＬＳＳ及びＰＳＢＣＨのための送信電力は、
サービングセルｃでの最大出力電力（ＰＣＭＡＸ、ｃ）に基づいて決定されることを特徴とする項目８に記載の方法。
（項目１２）
前記サービングセルｃでの最大出力電力（ＰＣＭＡＸ、ｃ）は、ネットワークにより設定される電力値（ＰＥＭＡＸ、Ｃ）に基づいて決定され、
前記ネットワークにより設定される電力値（ＰＥＭＡＸ、Ｃ）は、前記Ｄ２Ｄ通信（ｃｏｍｍｕｎｉｃａｔｉｏｎ）のための電力情報（Ｐ−Ｍａｘ）により決定されることを特徴とする項目１１に記載の方法。
（項目１３）
端末は、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
Ｄ２Ｄ発見信号送信のための電力情報（ｄｉｓｃＭａｘＴｘＰｏｗｅｒ）を受信し、
前記電力情報（ｄｉｓｃＭａｘＴｘＰｏｗｅｒ）に基づいてＤ２Ｄ発見信号送信のための送信電力を決定することを特徴とする端末。
（項目１４）
端末は、
無線信号を送信及び受信するＲＦ（Ｒａｄｉｏ  Ｆｒｅｑｕｅｎｃｙ）部；及び、
前記ＲＦ部と結合して動作するプロセッサ；を含み、前記プロセッサは、
サイドリンク同期化信号（ｓｉｄｅｌｉｎｋ  ｓｙｎｃｈｒｏｎｉｚａｔｉｏｎ  ｓｉｇｎａｌ：ＳＬＳＳ）及び物理サイドリンクブロードキャストチャネル（ｐｈｙｓｉｃａｌ  ｓｉｄｅｌｉｎｋ  ｂｒｏａｄｃａｓｔ  ｃｈａｎｎｅｌ：ＰＳＢＣＨ）のための送信電力を決定し、
前記決定された送信電力で前記ＳＬＳＳ及びＰＳＢＣＨを送信し、
前記ＳＬＳＳ及びＰＳＢＣＨの送信がＤ２Ｄ（ｄｅｖｉｃｅ−ｔｏ−ｄｅｖｉｃｅ）発見（ｄｉｓｃｏｖｅｒｙ）とＤ２Ｄ通信（ｃｏｍｍｕｎｉｃａｔｉｏｎ）の両方ともにより同時にトリガ（ｔｒｉｇｇｅｒ）される場合、
前記ＳＬＳＳ及びＰＳＢＣＨのための送信電力は、前記Ｄ２Ｄ通信のための電力情報（Ｐ−Ｍａｘ）に基づいて決定されることを特徴とする端末。